(57)【要約】【課題】踏段に備えられる踏板を容易に移動できるエスカレータ用踏段及びエスカレータを提供する。【解決手段】踏板設置部７２と、前記踏板設置部７２の一端と連結したライザ部７４とを有する踏段枠体７０と、乗客が乗るための主面６２を有し、前記踏段枠体７０の前記踏板設置部７２に載せ置かれた踏板６０と、を備えるエスカレータ用踏段５０であって、前記踏板設置部７２は、前記踏板６０を支持する支持部７２ａと、前記ライザ部７４と連結した側の側壁に前記踏板６０が嵌合されるように切り欠かれた部分と、を備え、前記切り欠かれた部分に前記踏板６０が嵌合されるように前記踏板設置部７２に前記踏板６０が載せ置かれた状態で、前記切り欠かれた部分側に前記踏板６０が摺動可能であることを特徴とする。【選択図】図４
2008019059.tif 000002
【特許請求の範囲】
【請求項１】
踏板設置部と、前記踏板設置部の一端と連結したライザ部とを有する踏段枠体と、
乗客が乗るための主面を有し、前記踏段枠体の前記踏板設置部に載せ置かれた踏板と、
を備えるエスカレータ用踏段であって、
前記踏板設置部は、前記踏板を支持する支持部と、前記ライザ部と連結した側の側壁が切り欠かれた部分と、を備え、
前記切り欠かれた部分に前記踏板が嵌合されるように前記踏板設置部に前記踏板が載せ置かれた状態で、前記切り欠かれた部分側に前記踏板が摺動可能であることを特徴とするエスカレータ用踏段。
【請求項２】
請求項１に記載のエスカレータ用踏段において、
さらに透明蓋体を備え、
前記踏板によって覆われるように前記踏板設置部に前記透明蓋体が配置されることを特徴とするエスカレータ用踏段。
【請求項３】
請求項１又は請求項２に記載のエスカレータ用踏段において、
前記踏板は、前記主面から前記主面の反対側の面に向かって貫通する第一のピン穴を備え、
前記支持部は、前記踏板が前記切り欠かれた部分側に摺動された状態において前記第一のピン穴に対応する位置に第二のピン穴を備えることを特徴とするエスカレータ用踏段。
【請求項４】
請求項３に記載のエスカレータ用踏段において、
前記踏板は、前記主面と直交する面であって、前記踏板設置部に載せ置かれた状態において前記切り欠かれた部分側に位置する面、から当該面の反対側の面に向かって貫通する第三のピン穴を備え、
前記踏段枠体は、前記踏板設置部に前記踏板が載せ置かれた状態において、前記第三のピン穴に対応する位置に第四のピン穴を備えることを特徴とするエスカレータ用踏段。
【請求項５】
請求項１から請求項４のいずれか一つに記載のエスカレータ用踏段において、
前記踏板と前記支持体とのいずれか一方は、前記踏板と前記支持体とが接する面に摺動レールを備え、
前記踏板と前記支持体とのいずれか他方は、前記摺動レールに嵌合される嵌合部を備え、
前記摺動レールに前記嵌合部が嵌合された状態で、前記摺動レールに沿って前記踏板が摺動可能であることを特徴とするエスカレータ用踏段。
【請求項６】
請求項１から請求項５のいずれか一つに記載のエスカレータ用踏段を複数含み、前記エスカレータ用踏段の各々が階段状に連なるように、トラスに配置されることを特徴とするエスカレータ。
【発明の詳細な説明】
【技術分野】
【０００１】
本発明は、エスカレータ用踏段及びエスカレータに関する。特に、踏段に備えられる踏板を容易に移動できるエスカレータ用踏段及びエスカレータに関する。
【背景技術】
【０００２】
図１は、従来技術におけるエスカレータ用踏段１０の斜視図である。図２は、図１に示すエスカレータ用踏段１０において踏板１４を取り外した場合の斜視図である。エスカレータ用踏段１０は、踏段枠体１２，踏板１４，透明蓋体１６，追従ローラ１８及び駆動ローラ２０を備える。
【０００３】
踏板１４は、乗客が乗るための主面１４ａを有する。この主面１４ａには、溝状のクリートが形成される（図示しない）。
【０００４】
踏段枠体１２は、踏板設置部１２ａとライザ部１２ｂとを有する。踏段枠体１２において踏板設置部１２ａ側の開口面積は、踏板１４の主面１４ａの面積と略同じである。また、踏段枠体１２において、ライザ部１２ｂは踏板設置部１２ａの一端部に連結される。ライザ部１２ｂの表面には、溝状のクリートが形成される（図示しない）。
【０００５】
踏板設置部１２ａは、踏板１４の主面１４ａとは反対側の面の少なくとも一部の領域に接する支持部１２ｄを有する。
【０００６】
透明蓋体１６は、踏板１４によって覆われるように踏板設置部１２ａに配置される。
【０００７】
エスカレータ用踏段１０を備えるエスカレータにおいて、エスカレータを通常運転する際には、踏板設置部１２ａに踏板１４が載せ置かれる（図１）。このとき透明蓋体１６は、踏板１４によって覆われる。
【０００８】
一方、エスカレータのトラス（図示しない）の内部を点検する際には、踏板設置部１２ａに載せ置かれた踏板１４が取り外される（図２）。エスカレータ用踏段１０から踏板１４が取り外されることによって、透明蓋体１６が露出される。その結果、エスカレータのトラスの内部を点検する作業者は、露出された透明蓋体１６を通してトラスの内部を視認することができる。
【０００９】
【特許文献１】特開２００２−４６９６８号公報
【発明の開示】
【発明が解決しようとする課題】
【００１０】
踏板１４の主面１４ａには乗客が乗るため、エスカレータの点検作業を行なう作業者が踏板１４を把持するための突出部や穴を踏板１４に設けると、乗客が躓いたり、把持する穴に異物が詰まるなどの問題が生じる。そのため作業者は、エスカレータ用踏段１０から踏板１４を取り外すために工具を用いる必要がある。また作業者にとっては、点検作業のために踏板を持ち上げて取り外さなければならない。その作業負担をできるだけ軽減したいという要望もある。
【００１１】
そこで本発明では、踏段に備えられる踏板を容易に移動できるエスカレータ用踏段及びエスカレータを提供することを目的とする。
【課題を解決するための手段】
【００１２】
本発明は、踏板設置部と、前記踏板設置部の一端と連結したライザ部とを有する踏段枠体と、乗客が乗るための主面を有し、前記踏段枠体の前記踏板設置部に載せ置かれた踏板と、を備えるエスカレータ用踏段であって、前記踏板設置部は、前記踏板を支持する支持部と、前記ライザ部と連結した側の側壁が切り欠かれた部分と、を備え、前記切り欠かれた部分に前記踏板が嵌合されるように前記踏板設置部に前記踏板が載せ置かれた状態で、前記切り欠かれた部分側に前記踏板が摺動可能であることを特徴とする。
【００１３】
さらに透明蓋体を備え、前記踏板によって覆われるように前記踏板設置部に前記透明蓋体が配置されることが好適である。作業者がエスカレータのトラス内を点検するために踏板を摺動させた際に、露出された透明蓋体を通してトラス内を視認できるとともに、点検作業時に工具をトラス内に脱落することを抑制できる点で効果がある。
【００１４】
また、前記踏板は、前記主面から前記主面の反対側の面に向かって貫通する第一のピン穴を備え、前記支持部は、前記踏板が前記切り欠かれた部分側に摺動された状態において前記第一のピン穴に対応する位置に第二のピン穴を備えることが好ましい。第一のピン穴と第二のピン穴との両方に一のピンが通されることによって、エスカレータのトラス内を点検するために摺動させた踏板が踏段枠体から脱落することを抑制できる点で効果がある。
【００１５】
さらに、前記踏板は、前記主面と直交する面であって、前記踏板設置部に載せ置かれた状態において前記切り欠かれた部分側に位置する面、から当該面の反対側の面に向かって貫通する第三のピン穴を備え、前記踏段枠体は、前記踏板設置部に前記踏板が載せ置かれた状態において、前記第三のピン穴に対応する位置に第四のピン穴を備えることが好ましい。この構成によれば、踏板によって透明蓋体が覆われた状態で第三のピン穴と第四のピン穴との両方に一のピンが通されることによって、踏段枠体に踏板が固定される。また、第一のピン穴と第二のピン穴との両方に通されていたピンを取り外してから、第三のピン穴と第四のピン穴との両方にそのピンが通されることによって、踏段枠体に踏板が固定されてもよい。
【００１６】
あるいは、前記踏板と前記支持体とのいずれか一方は、前記踏板と前記支持体とが接する面に摺動レールを備え、前記踏板と前記支持体とのいずれか他方は、前記摺動レールに嵌合される嵌合部を備え、前記摺動レールに前記嵌合部が嵌合された状態で、前記摺動レールに沿って前記踏板が摺動可能であることが好適である。この構成によれば、摺動レールと嵌合部とによって踏板が支持体に支持されるので、踏板を摺動させる際に踏段枠体から踏板が脱落することを抑制できる。
【００１７】
あるいは、本発明はエスカレータであって、上記のいずれか一つに記載のエスカレータ用踏段を複数含み、前記エスカレータ用踏段の各々が階段状に連なるように、トラスに配置されることを特徴とする。このエスカレータにおいては、踏板を摺動させて透明蓋体の少なくとも一部を露出させた状態で、透明蓋体を介してエスカレータのトラスの内部を視認できるという効果がある。
【発明の効果】
【００１８】
本発明によれば、エスカレータ用踏段及びエスカレータにおいて、踏段に備えられる踏板が踏板表面に対して水平方向に摺動可能になる。
【発明を実施するための最良の形態】
【００１９】
図３，４に、本発明におけるエスカレータ用踏段５０の斜視図を示す。（図３は、透明蓋体９０が踏板６０によって覆い隠された状態を示している。図４は、踏板６０を摺動させて透明蓋体９０を露出させた状態を示している。）図５に、エスカレータ用踏段５０から踏板６０が取り外された構成の斜視図を示す。また、図６は、本発明におけるエスカレータ用踏段５０の一部正面断面図を示す図である。図６において示される断面構造は、図４におけるＡ１−Ａ２間の断面構造である。エスカレータ用踏段５０は、踏板６０，踏段枠体７０，透明蓋体９０，追従ローラ８０及び駆動ローラ８２を備える。
【００２０】
踏板６０は、主面６２とピン穴６４ａ，６４ｂとを備える。主面６２は、踏板６０において乗客が乗る面である。この主面６２には、溝状のクリートが形成される（図示しない）。ピン穴６４ａは、主面６２から主面６２とは反対側の面に貫通する穴である。後述するが、踏段枠体７０に備えられるピン穴７２ｄとピン穴６４ａとが位置合わせされた状態で、ピン穴６４ａを貫通するようにピン７８が差し込まれる。
【００２１】
踏段枠体７０は、踏板設置部７２とライザ部７４とを備える。ライザ部７４は、踏板設置部７２の一端と連結して形成される。
【００２２】
踏板設置部７２は、支持部７２ａ，切り欠き部７２ｂ及びピン穴７２ｃ，７２ｄを備える。踏板設置部７２には、踏板６０が載せ置かれる。支持部７２ａは、踏板６０の主面６２とは反対側の面の一部の領域に接するように踏板設置部７２に設けられる。この構成によれば、踏板６０は、主面６２とは反対側の面側から支持部７２ａによって支持される。
また、支持部７２ａには、踏板６０と接する面から反対側の面に貫通したピン穴７２ｄが備えられる。切り欠き部７２ｂでは、ライザ部７４と連結する踏板設置部７２の一端の側面に、踏板６２が嵌合されるような大きさに切り欠かれる（図５）。切り欠き部７２ｂにおいて切り欠かれた部分の底面と、支持部７２ａが踏板６０を支持する面とは、略同じ高さに位置する。
【００２３】
ライザ部７４は、エスカレータ用踏段５０における蹴上板である。また、エスカレータ用踏段５０に乗る乗客が踏段枠体に足を引っ掛けないようにするための役割も果たす。ライザ部７４の表面には、溝状のクリートが形成される（図示しない）。
【００２４】
透明蓋体９０は、踏板６０によって覆われるように、かつ、支持部７２ａによって囲まれるように踏板設置部７２に配置される（図３）。図６に示すように、支持部７２ａの断面は、踏板６０が載せ置かれる面から反対側の面に向かって傾斜を持つように形成される。この傾斜を有する支持部７２ａによって囲まれた領域に嵌合されるように透明蓋体９０が載せ置かれる。図６に示す断面構造において、透明蓋体９０と踏板との間に所定の間隔ｄが設けられる。この構成によれば、踏板６０を摺動させるときに、透明蓋体９０の表面が踏板６０によって傷つけられることを抑制できる。
【００２５】
追従ローラ８０は、踏板６０の主面６２を水平に保つために踏段枠体７０の下部の両脇に備えられる前輪である。駆動ローラ８２は、踏段枠体７０の下部の両脇に備えられる後輪である。追従ローラ８０と駆動ローラ８２とは、エスカレータのトラスに備えられる踏段チェーン（図示しない。後述。）に連結される。
【００２６】
踏板６０は、支持部７２ａによって支持されるように踏板設置部７２に載せ置かれる。踏板設置部７２にはライザ部７４側に切り欠き部７２ｂが設けられているので、踏板設置部７２に載せ置かれた踏板６０は、主面６２の表面に対して平行な方向に、かつ、ライザ部７４の方向に摺動可能になる。
【００２７】
図３に示すように、踏板６０に備えられたピン穴６４ｂと、踏板設置部７２に備えられたピン穴７２ｄとが位置合わせされた状態で互いに接するまで、ライザ部７４とは反対側の方向に踏板６０が摺動される場合には、踏板設置部７２の内側に配置された透明蓋体９０が踏板６０によって覆い隠される。この状態において、図７に示すピン７８がピン穴６４ｂを介してピン穴７２ｄに差し込まれる（図示しない）。この構成によれば、ピン７８によって踏段枠体７０に踏板６０が固定される。更に、ピン７８の先端にねじ山を、ピン穴７２ｄにねじ溝を形成してもよい。この構成によれば、ねじ止めによって踏段枠体７０に踏板６０を強固に固定することができる。
【００２８】
一方、図４に示すように、ピン穴６４ｂを介してピン穴７２ｄに差し込まれたピン７８が取り外されてライザ部７４の方向に踏板６０が摺動される場合には、踏板設置部７２の内側に配置された透明蓋体９０が露出される。この状態においては、露出された透明蓋体９０の上方から、踏段枠体７０の内部の方向を視認することができる。
【００２９】
また、透明蓋体９０を露出させるために踏板６０をライザ部７４の方向に摺動させる際には、踏板６０に設けられたピン穴６４ａと踏板設置部７２に設けられたピン穴７２ｄとが位置合わせされるまで踏板６０を摺動させる。この状態において、ピン穴６４ａ及びピン穴７２ｄを貫通するようにピン７８が差し込まれる（図示しない）。その結果、ピン７８によって踏段枠体７０に踏板６０が固定されるので、摺動された踏板６０が踏段枠体７０から抜け落ちることを抑制できる。
【００３０】
本発明におけるエスカレータ用踏段５０の変形例として、図８及び図９に示すように、踏段枠体７０にピン固定部７６を備えてもよい。ピン固定部７６は、踏段枠体７０の内側で、かつ、踏板設置部７２よりも下方に、特に支持部７２ａの下方に配置される。また、ピン固定部７６には、支持部７２ａに備えられたピン穴７２ｄの中心軸と略一致した中心軸を有するピン穴７６ａが備えられる。
【００３１】
この構成において、ピン穴６４ａとピン穴７２ｄとが位置合わせされるまで踏板６０を摺動させる。この状態においてピン穴６４ａ及びピン穴７２ｄを貫通し、かつ、ピン穴７６ａに先端が差し込まれるように、ピン７８が差し込まれる。このとき、ピン７８の先端の少なくとも一部がピン穴７６ａの側壁に接触することによって、摺動された踏板６０がぐらつくことを抑制できる。あるいは、ピン７８の先端にねじ山を、ピン穴７６ｄにねじ溝を形成してもよい。この構成によれば、ピン穴６４ａとピン穴７２ｄとが位置合わせされるまで踏板６０を摺動させた状態で、ねじ止めによって踏段枠体７０に踏板６０を強固に固定することができる。
【００３２】
本発明におけるエスカレータ用踏段５０の他の変形例として、図１０の一部正面断面図に示すように、踏板６０の側面に摺動レール６０ａを、踏段枠体７０に摺動レール溝７０ａを備えてもよい。摺動レール溝７０ａには、摺動レール６０ａが嵌合される。あるいは、図１１の一部正面断面図に示すように、踏段枠体７０に摺動レール７０ｂを、踏板６０の側面に摺動レール溝６０ｂを備えてもよい。あるいは、踏板６０と支持体７２ａとのいずれか一方は踏板６０と支持部７２ａとが接する面に摺動レールを備え、踏板６０と支持体７２ａとのいずれか他方は摺動レールに嵌合される摺動レール溝を備えてもよい。これらの構成によれば、摺動レールに沿って踏板６０を摺動させることができる。
【００３３】
あるいは、図１２の一部側方断面図に示すように、エスカレータ用踏段５０において、踏板６０の一端にストッパ６０ｃを、踏板設置部７２におけるライザ部７４側の端部にストッパ７２ｅを備えてもよい。この構成によれば、摺動レールに沿ってライザ部７４側に踏板６０を過剰に摺動させることを防止できるので、踏板６０が踏段枠体７０から抜け落ちることを防止できる。
【００３４】
図１３は、本発明に係るエスカレータ１００を示す斜視図である。エスカレータ１００は、複数のエスカレータ用踏段とトラス１１０とを備える。複数のエスカレータ用踏段は互いに連結される。連結された複数のエスカレータ用踏段の少なくとも一部は、階段を形成する。複数のエスカレータ用踏段には、エスカレータ用踏段５０は１つだけ含まれていてもよく、あるいは２個以上含まれていてもよい。
【００３５】
トラス１１０は、エスカレータ１００の自重および積載荷重を支える構造物である。また、トラス１１０の内部には、踏段チェーンと駆動モータとが備えられる（図示しない）。踏段チェーンには、エスカレータ用踏段に備えられる駆動ローラ及び追従ローラが連結される。また、踏段チェーンは駆動モータにも連結される。その結果、複数のエスカレータ用踏段は、駆動モータから踏段チェーンを介して伝達される駆動力によって駆動される。
【００３６】
エスカレータ１００を通常運転させる場合（エスカレータ用踏段５０における踏板６０の主面６２に乗客を乗せて運転する場合）には、図３に示すように透明蓋体９０が踏板６０によって覆い隠された状態で、エスカレータ用踏段５０がトラス１１０の上方または下方に移動するように駆動される。
【００３７】
一方、作業者がトラス１１０の内部を点検する場合には、エスカレータ用踏段５０に乗客が乗ることが可能な位置にある状態でエスカレータ１００の運転を停止させる。この状態において、ライザ部７４側に踏板６０を摺動させて透明蓋体９０を露出させる。その結果、作業者は、露出された透明蓋体９０を介して、トラス１１０の内部を視認して点検することができる。
【図面の簡単な説明】
【００３８】
【図１】従来技術におけるエスカレータ用踏段１０の斜視図である。
【図２】従来技術におけるエスカレータ用踏段１０の斜視図である。
【図３】本発明の実施の形態におけるエスカレータ用踏段５０の斜視図である。
【図４】本発明の実施の形態におけるエスカレータ用踏段５０の斜視図である。
【図５】本発明の実施の形態において、エスカレータ用踏段５０から踏板６０が取り外された構成を示す斜視図である。
【図６】本発明の実施の形態におけるエスカレータ用踏段５０の一部正面断面図である。
【図７】本発明の実施の形態におけるピン７８の斜視図である。
【図８】本発明の変形例において、ピン固定部７６を備えるエスカレータ用踏段５０の斜視図である。
【図９】本発明の変形例において、ピン固定部７６を備えるエスカレータ用踏段５０の一部正面断面図である。
【図１０】本発明の他の変形例において、摺動レール及び摺動レール溝を備えるエスカレータ用踏段５０の一部正面断面図である。
【図１１】本発明の他の変形例において、摺動レール及び摺動レール溝を備えるエスカレータ用踏段５０の一部正面断面図である。
【図１２】本発明の実施の形態において、踏板６０の一端にストッパ６０ｃを、踏板設置部７２におけるライザ部７４側の端部にストッパ７２ｅを備えるエスカレータ用踏段５０の一部側方断面図である。
【図１３】本発明の実施の形態において、エスカレータ用踏段５０を備えるエスカレータ１００の斜視図である。
【符号の説明】
【００３９】
１０，５０  エスカレータ用踏段、１２，７０  踏段枠体、１２ａ，７２  踏板設置部、１２ｄ，７２ａ  支持部、１４，６０  踏板、１４ａ，６２  主面、１６，９０  透明蓋体、１８，８０  追従ローラ、２０，８２  駆動ローラ、６０ａ，７０ｂ  摺動レール、６０ｂ，７０ａ  摺動レール溝、７８  ピン、１００  エスカレータ、１１０  トラス。
【図１】
2008019059.tif 000003
【図２】
2008019059.tif 000004
【図３】
2008019059.tif 000005
【図４】
2008019059.tif 000006
【図５】
2008019059.tif 000007
【図６】
2008019059.tif 000008
【図７】
2008019059.tif 000009
【図８】
2008019059.tif 000010
【図９】
2008019059.tif 000011
【図１０】
2008019059.tif 000012
【図１１】
2008019059.tif 000013
【図１２】
2008019059.tif 000014
【図１３】
2008019059.tif 000015